(57)【特許請求の範囲】
【請求項１】
フロントウエスト部（３６）と、リアウエスト部（３８）と、フロントおよびリアウエスト部（３６、３８）間の中間部（３７）とを有する使い捨て吸収性物品であって、該吸収性物品がフロントウエスト端部（５２）と、リアウエスト端部（５２）と、２つの縦方向端部（５０）とを含んでなり、吸収性物品（２０）が液体透過性トップシート（２４）と、液体不透過性バックシート（２６）と、トップシート（２４）およびバックシート（２６）の間に配置される吸収性芯（２８）とを含んでなり、吸収性物品（２０）が使い捨て吸収性物品（２０）の縦方向端部（５０）近傍にバリアカフ（６２）を更に含んでなり、各バリアカフ（６２）が近位端（６４）および遠位端（６６）を有してなり、遠位端（６６）がトップシートの最上表面（２５）から離間するように、スペーシング手段（７６）が各バリアカフ遠位端（６６）に連設されてなり、
トップシート（２４）が中間部（３７）に少くとも１つの切り込み（９０）を含んでなり、各切り込み（９０）がバリアカフ（６２）間で第一切り込み末端（９１）から第二切り込み末端（９２）へと延在して、切り込み末端（９１、９２）の各々に隣接したトップシート（２４）が近位端（６４）と遠位端（６６）との間でバリアカフ（６２）へ固着されてなり、それによりトップシートの中間部（３７）の一部がバリアカフ（６２）によりトップシート（２４）の残りの面から持ち上げられて、横方向バリア、およびトップシート（２４）と吸収性芯（２８）との間にポケット（９４）が形成されてなる、使い捨て吸収性物品。
【請求項２】
吸収性芯（２８）または吸収性芯のエレメントがトップシートの切り込みを抜け出ないようにするための、トップシート（２４）および吸収性芯（２８）の間に配置される液体処理構造（２９）を更に含んでなる、請求項１に記載の使い捨て吸収性物品。
【請求項３】
液体処理構造（２９）が獲得層である、請求項２に記載の使い捨て吸収性物品。
【請求項４】
各バリアカフ遠位端（６６）に連設されたスペーシング手段（７６）が、少くとも１つのスペーシング弾性材（７７）を含んでなる、請求項１に記載の使い捨て吸収性物品。
【請求項５】
切り込み末端（９１、９２）の各々に隣接したトップシート（２４）が、バリアカフ（６２）の遠位端（６６）近傍に固着されてなる、請求項１〜４のいずれか一項に記載の使い捨て吸収性物品。
【請求項６】
フロントウエスト部（３６）と、リアウエスト部（３８）と、フロントおよびリアウエスト部間の中間部（３７）とを有する使い捨て吸収性物品の製造方法であって、該吸収性物品（２０）がフロントウエスト端部（５２）と、リアウエスト端部（５２）と、２つの縦方向端部（５０）とを含んでなり、吸収性物品（２０）が液体透過性トップシート（２４）と、液体不透過性バックシート（２６）と、トップシート（２４）およびバックシート（２６）の間に配置される吸収性芯（２８）とを含んでなり、吸収性物品（２０）が使い捨て吸収性物品（２０）の縦方向端部（５０）近傍にバリアカフ（６２）を更に含んでなり、各バリアカフ（６２）が近位端（６４）および遠位端（６６）を有してなり、遠位端（６６）がトップシートの最上表面（２５）から離間するように、スペーシング手段（７６）が各バリアカフ遠位端（６６）に連設されてなり、
バリアカフ（６２）間の中間部（３７）でトップシート（２４）を切断し、切り込み末端の各々（９１、９２）に隣接したトップシート（２４）を近位端（６４）および遠位端（６６）間のバリアカフ（６２）へ固着させることにより、トップシート（２４）の中間部（３７）の一部がバリアカフ（６２）によりトップシートの残りの面から持ち上げられて、横方向バリア、およびトップシート（２４）と吸収性芯（２８）との間にポケット（９４）を形成する
工程を含んでなる、使い捨て吸収性物品の製造方法。
【請求項７】
切り込み末端の各々（９１、９２）に隣接したトップシート（２４）が、バリアカフ（６２）の遠位端（６６）近傍に固着される、請求項６に記載の使い捨て吸収性物品（２０）の製造方法。
【請求項８】
切断工程が、実質的に横方向で、少くとも１つ、好ましくは２つの切り込みを形成するものである、請求項６または７に記載の使い捨て吸収性物品（２０）の製造方法。
【請求項９】
切り込み末端の各々に隣接したトップシート（２４）をバリアカフの遠位端（６６）へ取り付ける手段が、接着剤接着、超音波溶接または熱接着によるものである、請求項６〜８のいずれか一項に記載の使い捨て吸収性物品（２０）の製造方法。
【発明の詳細な説明】
【０００１】
本発明は使い捨ておむつのような吸収性物品、更に詳しくは糞便物の封じ込め用バリア手段を有した吸収性物品に関する。本発明は糞便物の封じ込め用バリア手段を有した吸収性物品の製造方法にも関する。
【０００２】
使い捨ておむつおよび失禁用ブリーフまたは下着のような吸収性物品の主機能は、体滲出物を吸収および貯留することである。そのため、このような物品は、着用者と接触することになる寝具類のような衣類または他の物品が体滲出物で汚れる、濡れるまたはそれ以外で不潔になることを防ぐためにある。このような製品について最も一般的な失敗は、体滲出物が物品と着用者の足または腰との隙間から漏れ出たときに生じる。吸収性物品により吸収されなかった糞便物は、着用者の足または腰で物品との隙間を通り抜けていく。
【０００３】
現在の使い捨ておむつは、フロントウエスト部、リアウエスト部、およびフロントとリアウエスト部との中間部を有している；これらの部分はフロントウエスト端部、リアウエスト端部および２つの縦方向端部内に位置している。現在のおむつは、液体透過性トップシート、液体不透過性バックシート、およびトップシートとバックシートとの間に配置される吸収性芯を含んでなる。
【０００４】
使い捨ておむつは、糞便物または尿もしくは液体の噴出で着用者の衣類が汚れないようにするバリアカフも備えていることがある。バリアカフはこの物質の自由な流動を抑えて、おむつ内にこのような物質を保つ。１９８８年５月１０日付で発行されたＵＳ‐Ａ‐４，７４３，２４６はバリアカフを有する吸収性物品について開示している。
【０００５】
従来の様々な特許出願が、糞便物を使い捨ておむつ内でトップシートの後ろに保って着用者の皮膚と接触させないような手段を用意するために、トップシートの切り抜きホール（穴）について開示している。これら特許出願の一部では、切り抜きホール周辺の部分に張りをもたせて開口を維持するために、弾性ストリップが用いられている。通常、弾性ストリップは、通常は着用者の体から離れたトップシートの側で、トップシートへ直接付けられる。例えば、１９８７年５月５日付で公開されたＵＳ‐Ａ‐４，６６２，８７７はおむつの中央股部分に開口を備えたトップシートについて開示しており、そのトップシートにおける弾性帯はそれを下層の吸収性芯から離しておける引張力をトップシートへ加えている。１９９０年３月７日付で公開されたＥＰ‐Ａ‐０，３５７，２９８、１９９２年５月２０日付で公開されたＥＰ‐Ａ‐０，４８６，００６および１９９９年２月１７日付で公開されたＧＢ‐Ａ‐２，３２８，１５８では、開口を維持するためにトップシートへ弾性引張力を加える様々な手段についても開示している。
【０００６】
糞便物を物品内により良好に封入し、物品から糞便物の漏れを防ぎ、および／または肛門部分から陰部への糞便物の移動を防ぐ使い捨て吸収性物品、およびその使い捨て吸収性物品の製造方法を提供することが、本発明の目的である。その吸収性物品は、各バリアカフが近位端および遠位端を有した、使い捨て吸収性物品の縦方向端部近くのバリアカフ；および遠位端がトップシートの最上表面から離間するように各バリアカフ遠位端に連設されたスペーシング手段を含んでなる。
【０００７】
【発明の要旨】
本発明の目的は、中間部に少くとも１つの切り込みを含んでなるトップシートによって達成されており、各切り込みがバリアカフの間で第一切り込み末端から第二切り込み末端へと延在して、その切り込み末端の各々に隣接したトップシートが近位端と遠位端との間でバリアカフへ固着されているため、トップシートの中間部の一部がバリアカフによりトップシートの残りの面から持ち上げられて、少くとも１つの横方向バリア、およびトップシートと吸収性芯との間にポケットを形成している。
【０００８】
【発明の具体的な説明】
ここで用いられている“使い捨て吸収性物品”という用語は体滲出物を吸収および貯留する物品に関し、更に詳しくは、体から排出された様々な滲出物を吸収および貯留するために着用者の体に接してまたはそれに隣接して配置されて、１回の使用後に捨てられる（即ち、それらは洗濯したりあるいは修復または再使用したりしない）物品に関する。その用語は月経用品を含めた生理用品に関するが、特にその用語はおむつおよび成人失禁用パンツに関する。ここで用いられている“おむつ”という用語は、幼児および失禁者により通常着用されて、着用者の胴体下部付近で着用される衣類に関し、この用語は最も好ましい使い捨て吸収性物品を例示するために用いられている。“おむつ”という用語は本発明を例示するために用いられており、それは限定するためではない。
【０００９】
本発明によるおむつ２０は平坦に広げた状態で図１に示されており、その構造の一部はおむつ２０の構成をより明確に示すために切断図となっている。着用者側に面するおむつ２０の一部は図を見ている者に向けられている。図１で示されているように、おむつは、トップシート２４のトップ表面が２５で示されている液体透過性トップシート２４；液体不透過性バックシート２６；トップシート２４の少くとも一部とバックシート２６との間に好ましくは配置される吸収性芯２８；４０で通常示される締結システム；各々がサイドフラップ５８およびフラップ弾性材３２を含んでなるガスケット用カフ；各々が近位端６４、遠位端６６、内側表面６８、外側表面７０を有したバリアカフ６２；トップシートトップ表面２５から遠位端６６を離間させておくための、スペーシング弾性材７７のようなスペーシング手段７６を含んでなる。おむつはトップシート２４と吸収性芯２８との間に好ましくは配置される、液体処理構造２９も更に含んでよい。
【００１０】
フロントウエスト部３６、フロントウエスト部３６と反対側のリアウエスト部３８、およびフロントウエスト部とリアウエスト部との間に配置される中間部３７を有したおむつ２０が図１で示されている。おむつ２０は、おむつ２０が着用されているとき着用者のフロント側と並列する第一部分８１、並びに、おむつ２０が着用されているとき着用者のバック側と並列する、第一部分８１と反対側の第二部分８２を更に有している。おむつ２０の外縁部はおむつ２０の外端部により画定されており、縦方向端部５０がおむつ２０の縦方向センターライン１００と通常平行に延在して、末端５２がおむつ２０の横方向センターライン１１０と通常平行な縦方向端部５０間に延在している。図１において、第一部分８１は１つの末端５２から横方向センターライン１１０へと延在して示されており、第二部分８２は反対側末端５２から横方向センターライン１１０へと延在して示されている。説明の目的で、横方向センターライン１１０は図１で第一部分８１と第二部分８２との境界として示されている。しかしながら、第一部分８１と第二部分８２との境界は他の位置に、例えば各末端５２のうち一方に近づけて配置してもよい。着用者のフロント側と並列した第一部分８１は尿の処理に優れているべきである。着用者のバック側と並列した第二部分は糞便物、特に低粘性糞便物の処理に優れているべきである。
【００１１】
おむつ２０のシャシ２２がおむつ２０の本体を構成している。シャシ２２は、吸収性芯２８の少くとも一部と、好ましくはトップシート２４およびバックシート２６を含めた外側カバー層とを含んでなる。吸収性物品がセパレートホルダーおよびライナーを含むならば、シャシ２２にはそのホルダーおよびライナーも通常含む。（例えば、ホルダーは物品の外側カバーを形成するために１以上の物質層を構成してもよく、ライナーはトップシート、バックシートおよび吸収性芯を含めた吸収性アセンブリーを構成してもよい。このような場合に、ホルダーおよび／またはライナーには、使用の間中ライナーを適所に留めておくために用いられる締結エレメントを含んでもよい）。単一の吸収性物品では、シャシ２２は複合的おむつ構造を形成するために他の特徴が加えられたおむつの主構造からなる。
【００１２】
図１では、トップシート２４およびバックシート２６が吸収性芯２８および液体処理構造２９の場合よりも通常大きな長さおよび幅寸法を有した、おむつ２０の態様について示している。トップシート２４およびバックシート２６は吸収性芯２８の端部から延出して、おむつ２０の外縁部を形成している。
【００１３】
トップシート２４、バックシート２６およびシャシ２２は様々な周知配置で組み立てられるが、好ましいおむつ配置は、１９７５年１月１４日付でKenneth B.Buellに発行された“使い捨ておむつ用の収縮性サイド部分”と題するＵＳ特許３，８６０，００３；１９９２年９月２９日付でBuellに発行されたＵＳ特許５，１５１，０９２；および１９９３年６月２２日付でBuellに発行されたＵＳ特許５，２２１，２７４で一般的に記載されている。他の適切なおむつシャシデザインは、１９９６年１０月２９日付でRoeらに発行された“マルチゾーン構造弾性様フィルムウェブ延伸性ウエスト特徴を備えた吸収性物品”と題するＵＳ特許５，５６９，２３２；１９９６年９月１０日付でRoeらに発行された“マルチゾーン構造弾性様フィルムウェブ延伸性ウエスト特徴を備えた吸収性物品”と題するＵＳ特許５，５５４，１４４；１９９６年９月１０日付でRoeらに発行された“マルチゾーン構造弾性様フィルムウェブ延伸性ウエスト特徴を備えた吸収性物品”と題するＵＳ特許５，５５４，１４３；１９９６年９月１０日付でRoeらに発行された“マルチゾーン構造弾性様フィルムウェブ延伸性ウエスト特徴を備えた吸収性物品”と題するＵＳ特許５，５５４，１４５；１９９６年９月１７日付でRoeらに発行された“マルチゾーン構造弾性様フィルムウェブ延伸性ウエスト特徴を備えた吸収性物品”と題するＵＳ特許５，５５６，３９４で開示されている。これら文献の各々は参考のためここに組み込まれる。
【００１４】
おむつ２０の内表面とは、使用時に着用者の体と隣接するようなおむつ２０の部分である（即ち、内表面はトップシート２４の少くとも一部およびトップシート２４へ取り付けられた他の構成材により通常形成される）。外表面とは、使用時に着用者の体から離して配置されるようなおむつ２０の部分である（即ち、外表面はバックシート２６の少くとも一部およびバックシート２６へ取り付けられた他の構成材により通常形成される）。
【００１５】
バリアカフ６２は、好ましくは、接着剤または加圧接着のような接着手段８８で、おむつ２０の縦方向端部５０近くのバックシート２６またはトップシート２４へバリアカフ材の一部を固定することにより形成される；耐漏れシールは接着手段８８、バリアカフ６２およびバックシート２６またはトップシート２４により形成される。バリアカフには近位端６４および遠位端６６を含む。近位端６４は、近位端６４に沿って耐漏れシールを形成するように、接着ビーズのような端部取付手段によりバリアカフのセグメントをバックシート２６またはトップシート２４へ取り付けることにより、好ましくは伸縮性レッグカフ３２と吸収性芯２８の末端との間で、好ましくは伸縮性レッグカフ３２の中央寄りに形成されている。遠位端６６は近位端６４の中央寄りに配置されており、おむつ２０のいずれの下層エレメントへも固定されていない。図２で示されているように、遠位端６６は、バリアカフ材の末端を折り返し、それをバリアカフ材の別なセグメントへ遠位取付手段により固定して、トンネルを設けることにより形成される。スペーシング弾性材７７のようなスペーシング手段７６が、バリアカフ材の末端が折り返されたときに形成されるトンネル内に封入されている；スペーシング弾性材７７はスペーシング弾性取付手段でバリアカフに固定されている。こうして遠位端６６はスペーシング弾性材７７の弾性ギャザリング作用によりトップシートのトップ表面２５から離間して配置される；こうしてチャンネルが少くとも第一近位端６４、第一遠位端６６およびバリアカフ６２の内側表面６８から形成されている。
【００１６】
図１は２つの切り込み９０がバリアカフ６２間でトップシート２４の横方向に延在していることを示している（バリアカフ６２の一部のみが明確化のために示されている）。この態様において、切り込み９０は各末端５２の方向に通常延在する傾斜切り込みにより第一および第二末端から延出している。
【００１７】
図３はトップシート２４と獲得層のような液体処理構成材２９との間でポケット９４を示している。ポケット９４は、第一および第二切り込み末端９１、９２を形成するために、バリアカフ６２間でトップシート２４を横切る方向に切断することにより形成される。次いで第一および第二切り込み末端９１、９２が隣接バリアカフ６２へ取り付けられる。使用時に、バリアカフ６２は、切り込み９０近くのトップシート２４の一部を、トップシート２４の残りの面から持ち上げている。これはトップシート２４に横方向バリアおよび隣接開口を設けて、その開口からトップシート２４と獲得層２９との間に形成されたポケット９４への糞便物の通過を促している。
【００１８】
トップシートは中間部に少くとも１つの切り込みを含んでなり、好ましい態様では、トップシートは中間部に２つの切り込みを含んでなる。２つの切り込みが用いられるとき、それらは好ましくは実質的に平行であって、２〜１５０ｍｍ離され、好ましくは３０〜８０ｍｍ離される。
【００１９】
本発明の好ましい態様において、第一および第二切り込み末端は吸収性物品を横切る方向で実質的に直線状の切り込みの反対側末端に存在している。一方、第一および第二切り込み末端で追加の切り込みも、少くとも１つのＵ形切り込み（図１で示されている）または少くとも１つのＨ形切り込みを形成するように用いてよい。これらの追加切り込みは斜方向でもまたは実質的に縦方向でもよい。更に別の態様において、ホールはトップシートの切り抜きでもよいが、好ましくは物質の無駄をなくすためにトップシートから物質は切り出さない。更に別の態様において、トップシートは、少くとも２つの別々な構成材を互いに隣り合わせるか、あるいは隣接トップシート構成材の２つの端部が切り込みまたはホールを形成するようにそれらで隙間を設けて組み立てられる。
【００２０】
本発明の様々な異なる態様によると、バリアカフは例えば直線状で互いに平行でも、直線状で互いに非平行（即ち、互いに角度をつける）でもよく、バリアカフは直線状または曲線状のいずれであってもよく、連続的または断続的でもよい。
【００２１】
第一および第二切り込み末端の各々に隣接したトップシートは、いずれか好都合な取付手段、例えば接着剤接着、超音波溶接、加圧接着、熱接着（例えばホットエアシーミング）により、バリアカフの遠位端近くで取り付けられる。
【００２２】
好ましくは、吸収性物品は吸収性芯または吸収性芯のエレメントがトップシート切り込みを抜け出ないようにする手段を更に含んでなる；更に好ましくはその手段はトップシートと吸収性芯との間に配置された液体処理構造からなる。最も好ましくは、吸収性物質のウェブが獲得層である。
【００２３】
ポケットがトップシートと吸収性芯の獲得層との間に形成されている。更に、バリアレッグカフおよびトップシートは、トップシートの面からトップシートの一部を持ち上げて横方向バリアを形成するように相互作用的に固着される、別々な構成材である。追加の手段も、ポケットを望ましい形状にして、しかもポケットを開けて糞便物を捕捉しうるように用いてよい。例えば、濡れたときに液体を吸収および貯留する膨潤性物質がポケットの側部に沿って配置されてもよい。適切な膨潤性物質は吸収性ゲル化物質である。これらの物質は、場合によりセルロース毛のような他の物質と混ぜて、ポケット内またはその近くで適切に配置された“バッグ”に入れてもよい。膨潤性物質が例えば尿で濡れたとき、吸収性ゲル化物質は液体を吸収および貯留して、“バッグ”をより堅くさせる。膨潤性物質を含んだ“バッグ”に堅さがあると、ポケットを開いたままにしておける。
【図面の簡単な説明】
【図１】  図１は本発明に従い作製された平坦に広げた状態にある使い捨て吸収性物品の平面図である。
【図２】  図２は図１で示された吸収性物品で使用に適したバリアカフの横断面図である。
【図３】  図３はもはや平坦に広げた状態にない図１の使い捨て吸収性物品の斜視図である。
【図１】
0004583686.tif 000002
【図２】
0004583686.tif 000003
【図３】
0004583686.tif 000004